【手続補正書】
【提出日】平成19年11月27日(2007.11.27)
【手続補正１】
【補正対象書類名】特許請求の範囲
【補正対象項目名】全文
【補正方法】変更
【補正の内容】
【特許請求の範囲】
【請求項１】
記録剤を付与するための記録素子が所定の方向に配列された記録ヘッドを前記所定の方向と異なる方向に走査しながら前記記録ヘッドにより前記記録剤を記録媒体に付与する記録動作と、前記走査の方向とは異なる方向に前記記録媒体を搬送する搬送動作とを繰り返すことにより、前記記録媒体に画像を記録する記録装置であって、
前記記録媒体の中央部に対する記録に用いる記録素子の数に比して、前記記録媒体の先端部および後端部の少なくとも一方の端部に対する記録に用いる記録素子の数を低減させて前記記録動作を実行する記録制御手段を備え、
前記記録制御手段は、前記画像の記録品位あるいは記録時間が異なる複数の記録モードの中から選択される記録モードに応じて、前記低減の割合を異ならせることを特徴とする記録装置。
【請求項２】
前記複数の記録モードは、第１の記録モード、および前記画像の記録時間が前記第１の記録モードに比べて長い第２の記録モードとを含み、
前記記録制御手段は、前記第２の記録モードが選択される場合に比べて前記第１の記録モードが選択される場合に前記低減の割合が小さくなるように、前記記録媒体の端部に対する記録に用いる記録素子の数を低減させることを特徴とする請求項１に記載の記録装置。
【請求項３】
前記記録媒体の中央部に対する記録か、前記記録媒体の端部に対する記録かを判断する判断手段と、
前記記録媒体の同一領域に対応する画像データを複数回の前記走査に分けるためのマスクパターンを格納した格納手段とを更に備え、
前記格納手段には、前記中央部に対する記録のために用いる第１マスクパターンと前記端部に対する記録のために用いる第２マスクパターンとが前記複数の記録モードそれぞれに対応して格納されており、
前記記録制御手段は、前記判断手段による判断の結果と前記複数のモードの中から選択された記録モードに応じて、前記格納手段から読み出すマスクパターンを決定することを特徴とする請求項１または２に記載の記録装置。
【請求項４】
前記第１マスクパターンおよび第２マスクパターンの夫々は、前記記録に用いる複数の記録素子のうち、端部の記録素子の記録率が中央部の記録素子の記録率よりも低くなるように構成されていることを特徴とする請求項３に記載の記録装置。
【請求項５】
前記第１の記録モードにおいて、前記端部の記録素子に対応する第２マスクパターンの記録率は、前記端部の記録素子に対応する第１マスクパターンの記録率よりも低いことを特徴とする請求項４に記載の記録装置。
【請求項６】
前記記録ヘッドより上流側に位置し前記記録媒体を支持および搬送する上流側の搬送手段と、前記記録ヘッドより下流側に位置し前記記録媒体を支持および搬送する下流側の搬送手段とを更に備え、
前記判断手段は、前記記録媒体が前記上流側の搬送手段によってのみ支持および搬送されている場合には、前記先端部に対する記録と判断し、前記記録媒体が前記上流側および下流側の搬送手段によって支持および搬送されている場合には、前記中央部に対する記録と判断し、前記記録媒体が前記下流側の搬送手段によってのみ支持および搬送されている場合には、前記後端部に対する記録と判断することを特徴とする請求項３乃至５のいずれかに記載の記録装置。
【請求項７】
前記記録動作は、前記記録媒体の先端部および後端部の少なくとも一部に余白を設けずに画像を記録する動作であることを特徴とする請求項１乃至６のいずれに記載の記録装置。
【請求項８】
前記先端部に対する記録の際に使用される第２マスクパターンは、前記後端部に対する記録の際に使用される第２マスクパターンとは異なるものであることを特徴とする請求項３に記載の記録装置。
【請求項９】
記録剤を付与するための記録素子が所定の方向に配列された記録ヘッドを前記所定の方向と異なる方向に走査しながら前記記録ヘッドから記録媒体に前記記録剤を付与することにより、前記記録媒体に記録を行う記録装置であって、
画像の記録品位あるいは記録時間が異なる複数の記録モードの中から実行すべき１つの記録モードを設定するための設定手段と、
前記設定手段により設定された記録モードに応じた数の記録素子を用いて前記記録媒体の中央部に対して記録を行う手段と、
前記設定手段により設定された記録モードに応じた数の記録素子であって、前記記録媒体の中央部で使用される記録素子の数よりも少ない数の記録素子を用いて、前記記録媒体の先端部および後端部の少なくとも一方に対して記録を行う手段とを備え、
前記中央部に対する記録において使用される記録素子の数と前記先端部および後端部の少なくとも一方に対する記録において使用される記録素子の数との比が、前記設定手段によって設定される記録モードの種類によって異なることを特徴とする記録装置。
【請求項１０】
記録剤を付与するための記録素子が所定の方向に配列された記録ヘッドを前記所定の方向と異なる方向に走査しながら前記記録ヘッドにより前記記録剤を記録媒体に付与する記録動作と、前記走査の方向とは異なる方向に前記記録媒体を搬送する搬送動作とを繰り返すことにより、前記記録媒体に画像を記録する記録方法であって、
前記画像の記録品位あるいは記録時間が互いに異なる複数の記録モードの中から実行すべき１つの記録モードを設定する設定工程と、
前記設定工程において設定された記録モードに応じた数の記録素子を用いて、前記記録媒体の中央部に対して記録を行う第１の記録工程と、
前記設定工程において設定された記録モードに応じた数の記録素子であって、前記第１の記録工程で使用される記録素子の数よりも少ない数の記録素子を用いて、前記記録媒体の先端部および後端部の少なくとも一方に対して記録を行う第２の記録工程とを有し、
前記第１の記録工程で使用される記録素子の数に対する前記第２の記録工程で使用される記録素子の数の割合は、前記設定工程において設定される記録モードの種類によって異なることを特徴とする記録方法。
【請求項１１】
記録剤を付与するための記録素子が所定の方向に配列された記録ヘッドを前記所定の方向と異なる方向に走査しながら前記記録ヘッドから記録媒体に前記記録剤を付与することにより前記記録媒体に記録を行う記録装置と、前記記録装置を制御するためのホスト装置とを含む記録システムであって、
画像の記録品位あるいは記録時間が異なる複数の記録モードの中から実行すべき１つの記録モードを設定するための設定手段と、
前記設定手段により設定された記録モードに応じた数の記録素子を用いて前記記録媒体の中央部に対して記録を行う手段と、
前記設定手段により設定された記録モードに応じた数の記録素子であって、前記記録媒体の中央部で使用される記録素子の数よりも少ない数の記録素子を用いて、前記記録媒体の先端部および後端部に対して記録を行う手段とを備え、
前記中央部に対する記録において使用される記録素子の数と前記先端部および後端部の少なくとも一方に対する記録において使用される記録素子の数との比が、前記設定手段によって設定される記録モードの種類によって異なることを特徴とする記録システム。
【手続補正２】
【補正対象書類名】明細書
【補正対象項目名】００１５
【補正方法】変更
【補正の内容】
【００１５】
そのための本発明は、記録剤を付与するための記録素子が所定の方向に配列された記録ヘッドを前記所定の方向と異なる方向に走査しながら前記記録ヘッドにより前記記録剤を記録媒体に付与する記録動作と、前記走査の方向とは異なる方向に前記記録媒体を搬送する搬送動作とを繰り返すことにより、前記記録媒体に画像を記録する記録装置であって、前記記録媒体の中央部に対する記録に用いる記録素子の数に比して、前記記録媒体の先端部および後端部の少なくとも一方の端部に対する記録に用いる記録素子の数を低減させて前記記録動作を実行する記録制御手段を備え、前記記録制御手段は、前記画像の記録品位あるいは記録時間が異なる複数の記録モードの中から選択される記録モードに応じて、前記低減の割合を異ならせることを特徴とする。
【手続補正３】
【補正対象書類名】明細書
【補正対象項目名】００１６
【補正方法】変更
【補正の内容】
【００１６】
また、本発明は、記録剤を付与するための記録素子が所定の方向に配列された記録ヘッドを前記所定の方向と異なる方向に走査しながら前記記録ヘッドから記録媒体に前記記録剤を付与することにより、前記記録媒体に記録を行う記録装置であって、画像の記録品位あるいは記録時間が異なる複数の記録モードの中から実行すべき１つの記録モードを設定するための設定手段と、前記設定手段により設定された記録モードに応じた数の記録素子を用いて前記記録媒体の中央部に対して記録を行う手段と、前記設定手段により設定された記録モードに応じた数の記録素子であって、前記記録媒体の中央部で使用される記録素子の数よりも少ない数の記録素子を用いて、前記記録媒体の先端部および後端部の少なくとも一方に対して記録を行う手段とを備え、前記中央部に対する記録において使用される記録素子の数と前記先端部および後端部の少なくとも一方に対する記録において使用される記録素子の数との比が、前記設定手段によって設定される記録モードの種類によって異なることを特徴とする。
【手続補正４】
【補正対象書類名】明細書
【補正対象項目名】００１７
【補正方法】変更
【補正の内容】
【００１７】
また、本発明は、記録剤を付与するための記録素子が所定の方向に配列された記録ヘッドを前記所定の方向と異なる方向に走査しながら前記記録ヘッドにより前記記録剤を記録媒体に付与する記録動作と、前記走査の方向とは異なる方向に前記記録媒体を搬送する搬送動作とを繰り返すことにより、前記記録媒体に画像を記録する記録方法であって、前記画像の記録品位あるいは記録時間が互いに異なる複数の記録モードの中から実行すべき１つの記録モードを設定する設定工程と、前記設定工程において設定された記録モードに応じた数の記録素子を用いて、前記記録媒体の中央部に対して記録を行う第１の記録工程と、前記設定工程において設定された記録モードに応じた数の記録素子であって、前記第１の記録工程で使用される記録素子の数よりも少ない数の記録素子を用いて、前記記録媒体の先端部および後端部の少なくとも一方に対して記録を行う第２の記録工程とを有し、前記第１の記録工程で使用される記録素子の数に対する前記第２の記録工程で使用される記録素子の数の割合は、前記設定工程において設定される記録モードの種類によって異なることを特徴とする。
【手続補正５】
【補正対象書類名】明細書
【補正対象項目名】００１８
【補正方法】変更
【補正の内容】
【００１８】
また、本発明は、記録剤を付与するための記録素子が所定の方向に配列された記録ヘッドを前記所定の方向と異なる方向に走査しながら前記記録ヘッドから記録媒体に前記記録剤を付与することにより前記記録媒体に記録を行う記録装置と、前記記録装置を制御するためのホスト装置とを含む記録システムであって、画像の記録品位あるいは記録時間が異なる複数の記録モードの中から実行すべき１つの記録モードを設定するための設定手段と、前記設定手段により設定された記録モードに応じた数の記録素子を用いて前記記録媒体の中央部に対して記録を行う手段と、前記設定手段により設定された記録モードに応じた数の記録素子であって、前記記録媒体の中央部で使用される記録素子の数よりも少ない数の記録素子を用いて、前記記録媒体の先端部および後端部に対して記録を行う手段とを備え、前記中央部に対する記録において使用される記録素子の数と前記先端部および後端部の少なくとも一方に対する記録において使用される記録素子の数との比が、前記設定手段によって設定される記録モードの種類によって異なることを特徴とする。